(57)【要約】【課題】プロジェクタが天井裏に設置される場合において、プロジェクタの設置姿勢の調整を容易にする。【解決手段】室内の天井材１０２の裏側部分１０２ｃにプロジェクタ１２を取り付けるためのプロジェクタ取り付け部材１４は、プロジェクタ１２の上方に配置される天板部２０と、天板部２０を支持し、天井材１０２の裏側部分１０２ｃに取り付けられるベース部２２と、天板部２０に対するプロジェクタ１２の姿勢を手動調整可能に、天板部２０とプロジェクタ１２とを接続する接続部２４とを、有する。接続部２４が、天板部２０の上方側に配置され、天板部２０に対するプロジェクタ１２の姿勢を手動調整するために作業者が把持して操作する把持部２６ａを備える。【選択図】図２
2018072803.tif 000002
【特許請求の範囲】
【請求項１】
室内の天井材の裏側部分にプロジェクタを取り付けるためのプロジェクタ取り付け部材であって、
プロジェクタの上方に配置される天板部と、
天板部を支持し、天井材の裏側部分に取り付けられるベース部と、
天板部に対するプロジェクタの姿勢を手動調整可能に、天板部とプロジェクタとを接続する接続部とを、有し、
接続部が、天板部の上方側に配置され、天板部に対するプロジェクタの姿勢を手動調整するために作業者が把持して操作する把持部を備える、プロジェクタ取り付け部材。
【請求項２】
接続部が、
天板部に形成された貫通穴と、
プロジェクタに固定され、貫通穴を備える固定具と、
把持部としての取手部と、天板部の貫通穴と固定具の貫通穴とを通過する軸部とを備える蝶ボルトと、
固定具の貫通穴を通過した蝶ボルトの軸部の部分に固定される抜け止め部材と、
蝶ボルトの取手部と天板部との間で、蝶ボルトの軸部と螺合するナットと、を含む、請求項１に記載のプロジェクタ取り付け部材。
【請求項３】
接続部が、
天板部に形成された貫通穴と、
プロジェクタに固定され、スリット溝を備える固定具と、
頭部が天板部の下方に位置する姿勢で、軸部が天板部の貫通穴を通過するねじと、
固定具のスリット溝と係合し、ねじの軸部に外挿され、且つ、ねじの頭部に受け支えられるスリット溝係合部材と、
把持部としての取手部を備え、ねじの軸部に螺合した状態で天板部の上側部分に接触する第１の蝶ナットと、
把持部としての取手部を備え、第１の蝶ナットの上方でねじの軸部に固定されている第２の蝶ナットと、を含む、請求項１に記載のプロジェクタ取り付け部材。
【請求項４】
天板部に形成された貫通穴が、蝶ボルトの軸部に螺合するめねじ穴である請求項２または３に記載のプロジェクタ取り付け部材。
【請求項５】
接続部が、
プロジェクタに固定され、同一平面上に設けられた第１、第２、および第３のめねじ穴を備える下側固定具と、
天板部の裏面に固定され、第１、第２、および第３のめねじ穴それぞれに対向するように設けられた３つの通し穴を備える上側固定具と、
把持部としての頭部をそれぞれ備え、それぞれが通し穴を通過してめねじ穴に係合する３つのローレットねじと、
それぞれが下側固定具と上側固定具との間のローレットねじの軸部に外挿された３つのスプリングと、を含み、
下側固定具の第１および第２のめねじ穴が、プロジェクタの光軸を含む鉛直面に対して直交する第１の直線上に位置し、
下側固定具の第２および第３のめねじ穴が、第１の直線に対して直交する第２の直線上に位置する、請求項１に記載のプロジェクタ取り付け部材。
【請求項６】
ベース部が、天板部に支持されたプロジェクタの出射部が斜め下方向に向くように、天板部を支持する、請求項１から５のいずれか一項に記載のプロジェクタ取り付け部材。
【請求項７】
天板部が蓋体であって、
ベース部が、プロジェクタを収容し、天板部によって閉じられる上方が開いたボックス体である、請求項１から６のいずれか一項に記載のプロジェクタ取り付け部材。
【請求項８】
プロジェクタと、
天井材の裏側部分にプロジェクタを取り付けるためのプロジェクタ取り付け部材と、
プロジェクタから出射された投影光が透過する透過部を備える天井材と、を含み、
プロジェクタ取り付け部材が、
プロジェクタの上方に配置される天板部と、
天板部を支持し、天井材の裏側部分に取り付けられるベース部と、
天板部に対するプロジェクタの姿勢を手動調整可能に、天板部とプロジェクタとを接続する接続部とを、有し、
接続部が、天板部の上方側に配置され、天板部に対するプロジェクタの姿勢を手動調整するために作業者が把持して操作する把持部を備える、浴室。
【発明の詳細な説明】
【技術分野】
【０００１】
本発明は、プロジェクタを所望の場所に取り付けるためのプロジェクタ取り付け部材およびそれを備えた浴室に関する。
【背景技術】
【０００２】
従来より、画像を投影するプロジェクタは、室内を臨む天井材表面や壁材表面に取り付けられて使用されている。
【０００３】
その一方、画像が投影される室内外部の空間（外部空間）にプロジェクタを配置し、その外部空間から室内に向かって投影光を出射する場合もある。例えば、特許文献１に記載されたプロジェクタは、浴室外部の外部空間に配置され、その外部空間から浴室内に向かって投影光を出射する。この外部空間と浴室は、半透明のガラスや樹脂から作製された仕切り板によって分離されている。これにより、プロジェクタは、入浴者から見えないようにされている。
【先行技術文献】
【特許文献】
【０００４】
【特許文献１】特開２０００−１３６６４３号公報
【発明の概要】
【発明が解決しようとする課題】
【０００５】
ところで、画像が投影される室内を臨む天井材表面や壁材表面にプロジェクタが取り付けられる場合、作業者は、プロジェクタを容易に設置することができる。すなわち、作業者は、室内に居る状態で、スクリーンまたは室内の壁材表面に映るプロジェクタの画像を見ながら、プロジェクタの設置姿勢を容易に調整することができる。
【０００６】
一方、特許文献１に記載するように、画像が投影される室内の外部にプロジェクタが取り付けられる場合、作業者によるプロジェクタの設置姿勢の調整が困難になる場合がある。
【０００７】
特に、その外部空間が天井裏の場合、作業者は、室内に居る状態で該室内に映る画像を見ながら、手を上げて天井裏のプロジェクタの設置姿勢を調整しなければならない。そのとき、プロジェクタの設置姿勢を手動調整するためのねじなどの位置によっては、設置姿勢の調整が困難または不可能になる場合がある。
【０００８】
そこで、本発明は、プロジェクタが天井裏に設置される場合において、プロジェクタの設置姿勢の調整を容易にすることを課題とする。
【課題を解決するための手段】
【０００９】
上記技術的課題を解決するために、本発明の一態様によれば、
室内の天井材の裏側部分にプロジェクタを取り付けるためのプロジェクタ取り付け部材であって、
プロジェクタの上方に配置される天板部と、
天板部を支持し、天井材の裏側部分に取り付けられるベース部と、
天板部に対するプロジェクタの姿勢を手動調整可能に、天板部とプロジェクタとを接続する接続部とを、有し、
接続部が、天板部の上方側に配置され、天板部に対するプロジェクタの姿勢を手動調整するために作業者が把持して操作する把持部を備える、プロジェクタ取り付け部材が提供される。
【００１０】
また、本発明の別の態様によれば、
プロジェクタと、
天井材の裏側部分にプロジェクタを取り付けるためのプロジェクタ取り付け部材と、
プロジェクタから出射された投影光が透過する透過部を備える天井材と、を含み、
プロジェクタ取り付け部材が、
プロジェクタの上方に配置される天板部と、
天板部を支持し、天井材の裏側部分に取り付けられるベース部と、
天板部に対するプロジェクタの姿勢を手動調整可能に、天板部とプロジェクタとを接続する接続部とを、有し、
接続部が、天板部の上方側に配置され、天板部に対するプロジェクタの姿勢を手動調整するために作業者が把持して操作する把持部を備える、浴室が提供される。
【発明の効果】
【００１１】
本発明によれば、プロジェクタが天井裏に設置される場合において、プロジェクタの設置姿勢を容易に調整することができる。
【図面の簡単な説明】
【００１２】
【図１】本発明の実施の形態１に係る浴室を概略的に示す図
【図２】本発明の実施の形態１に係るプロジェクタ取り付け部材の概略的斜視図
【図３】図２のＡ−Ａ線に沿ったプロジェクタ取り付け部材の断面図
【図４】図３に示す領域Ｂの拡大図
【図５】固定具の斜視図
【図６】天板部とプロジェクタとの接続方法を示す断面図
【図７】プロジェクタを収容した状態のプロジェクタ取り付け部材の天井材への取り付けを示す断面図
【図８】本発明の実施の形態２に係るプロジェクタ取り付け部材の第１の接続部を示す部分断面図
【図９】本発明の実施の形態２に係るプロジェクタ取り付け部材の第２の接続部を示す部分断面図
【図１０】本発明の実施の形態２に係るプロジェクタ取り付け部材の固定具を示す斜視図
【図１１】本発明の実施の形態３に係るプロジェクタ取り付け部材の一部を示す斜視図
【図１２】本実施の形態３に係るプロジェクタ取り付け部材の接続部の分解斜視図
【図１３】ローレットねじ周辺を示すプロジェクタ取り付け部材の部分断面図
【発明を実施するための形態】
【００１３】
本発明の一態様であるプロジェクタ取り付け部材は、室内の天井材の裏側部分にプロジェクタを取り付けるためのプロジェクタ取り付け部材であって、プロジェクタの上方に配置される天板部と、天板部を支持し、天井材の裏側部分に取り付けられるベース部と、天板部に対するプロジェクタの姿勢を手動調整可能に、天板部とプロジェクタとを接続する接続部とを、有し、接続部が、天板部の上方側に配置され、天板部に対するプロジェクタの姿勢を手動調整するために作業者が把持して操作する把持部を備えている。
【００１４】
このような構成によれば、プロジェクタが天井裏に設置される場合において、プロジェクタの設置姿勢を容易に調整することができる。
【００１５】
接続部が、天板部に形成された貫通穴と、プロジェクタに固定され、貫通穴を備える固定具と、把持部としての取手部と、天板部の貫通穴と固定具の貫通穴とを通過する軸部とを備える蝶ボルトと、固定具の貫通穴を通過した蝶ボルトの軸部の部分に固定される抜け止め部材と、蝶ボルトの取手部と天板部との間で、蝶ボルトの軸部と螺合するナットと、を含んでもよい。
【００１６】
接続部が、天板部に形成された貫通穴と、プロジェクタに固定され、スリット溝を備える固定具と、頭部が天板部の下方に位置する姿勢で、軸部が天板部の貫通穴を通過するねじと、固定具のスリット溝と係合し、ねじの軸部に外挿され、且つ、ねじの頭部に受け支えられるスリット溝係合部材と、把持部としての取手部を備え、ねじの軸部に螺合した状態で天板部の上側部分に接触する第１の蝶ナットと、把持部としての取手部を備え、第１の蝶ナットの上方でねじの軸部に固定されている第２の蝶ナットと、を含んでもよい。
【００１７】
天板部に形成された貫通穴が、蝶ボルトの軸部に螺合するめねじ穴であってもよい。このめねじ穴とナットや第１の蝶ナットが二重ナット（ダブルナット）として機能することにより、天板部に対してプロジェクタを固定することができる。
【００１８】
接続部が、プロジェクタに固定され、同一平面上に設けられた第１、第２、および第３のめねじ穴を備える下側固定具と、天板部の裏面に固定され、第１、第２、および第３のめねじ穴それぞれに対向するように設けられた３つの通し穴を備える上側固定具と、把持部としての頭部をそれぞれ備え、それぞれが通し穴を通過してめねじ穴に係合する３つのローレットねじと、それぞれが下側固定具と上側固定具との間のローレットねじの軸部に外挿された３つのスプリングと、を含み、下側固定具の第１および第２のめねじ穴が、プロジェクタの光軸を含む鉛直面に対して直交する第１の直線上に位置し、下側固定具の第２および第３のめねじ穴が、第１の直線に対して直交する第２の直線上に位置してもよい。
【００１９】
ベース部が、天板部に支持されたプロジェクタの出射部が斜め下方向に向くように、天板部を支持してもよい。それにより、作業者は、プロジェクタの設置姿勢を微調整するだけで済む。また、プロジェクタの設置姿勢の調整しろを小さくすることができる。
【００２０】
天板部が蓋体であって、ベース部が、プロジェクタを収容し、天板部によって閉じられる上方が開いたボックス体であってもよい。
【００２１】
また、本発明の別の態様である浴室は、プロジェクタと、
天井材の裏側部分にプロジェクタを取り付けるためのプロジェクタ取り付け部材と、
プロジェクタから出射された投影光が透過する透過部を備える天井材と、を含み、
プロジェクタ取り付け部材が、
プロジェクタの上方に配置される天板部と、
天板部を支持し、天井材の裏側部分に取り付けられるベース部と、
天板部に対するプロジェクタの姿勢を手動調整可能に、天板部とプロジェクタとを接続する接続部とを、有し、
接続部が、天板部の上方側に配置され、天板部に対するプロジェクタの姿勢を手動調整するために作業者が把持して操作する把持部を備えている。
【００２２】
このような構成によれば、プロジェクタが天井裏に設置される場合において、プロジェクタの設置姿勢を容易に調整することができる。
【００２３】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２４】
なお、発明者らは、当業者が本開示を十分に理解するために添付図面及び以下の説明を提供するものであって、これらによって特許請求の範囲に記載の主題を限定することを意図するものではない。
【００２５】
（実施の形態１）
図１は、本発明の実施の形態１に係る浴室を概略的に示している。
【００２６】
図１に示すように、浴室１００は、天井材１０２と、複数の壁材１０４と、床材１０６とを有する。浴室１００の内部空間は、これらの天井材１０２、複数の壁材１０４、および床材１０６によって画定されている。
【００２７】
また、浴室１００は、１つの壁材１０４の表側部分に、画像Ｐを投影するように構成されている。なお、本明細書において、天井材１０２や壁材１０４の表側は浴室１００の内部空間側を言い、裏側は内部空間の外部側を言う。
【００２８】
本実施の形態１の場合、図１に示すように、壁材１０４に向かって画像Ｐを投影する画像投影システム１０が、天井材１０２の裏側に配置されている。天井材１０２の裏側に配置された画像投影システム１０から浴室１００内に画像Ｐを投影するために、天井材１０２には開口１０２ａが設けられている。また、天井材１０２の裏側に画像投影システム１０を配置するために利用可能な点検口１０２ｂが、天井材１０２に設けられている。
【００２９】
図２は、浴室１００の天井材１０２の裏側に配置された画像投影システム１０を概略的に示している。また、図３は、図２に示すＡ−Ａ線に沿った画像投影システム１０の断面を示している。なお、図には、発明の理解を容易にするために、Ｘ−Ｙ−Ｚ座標系が示されている。Ｘ軸方向およびＹ軸方向は水平方向を示し、Ｚ軸方向は鉛直方向を示している。
【００３０】
図３に示すように、画像投影システム１０は、投影光Ｌを浴室１００の壁材１０４に向かって出射する（画像Ｐを投影する）プロジェクタ１２と、プロジェクタ１２を天井材１０２に取り付けるためのプロジェクタ取り付け部材１４と、天井材１０２の開口１０２ａを塞ぐカバー部材１６と、カバー部材１６を覆うケース部材１８とを有する。
【００３１】
本実施の形態１の場合、図３に示すように、プロジェクタ取り付け部材１４は、プロジェクタ１２を収容する内部空間１４ａを備える蓋付きボックス状であって、天井材１０２の裏側部分１０２ｃに、例えば、ねじや接着剤などによって固定される。このプロジェクタ取り付け部材１４は、プロジェクタ１２の上方に配置される天板部２０と、プロジェクタ１２が通過する上部開口を備えて天板部２０を支持するベース部２２と、天板部２０とプロジェクタ１２とを接続する３つの接続部２４とを備える。
【００３２】
プロジェクタ取り付け部材１４の天板部２０は、上方が開いたボックス状のベース部２２と協働し、プロジェクタ１２が収容される内部空間１４ａを形成するように構成されている。すなわち、天板部２０は、上方が開いたボックス状のベース部２２を閉じる、ベース部２２に対して着脱可能な蓋体である。
【００３３】
また、プロジェクタ取り付け部材１４の天板部２０は、プロジェクタ１２の上方に配置され、プロジェクタ１２を３つの接続部２４を介して支持する。すなわち、プロジェクタ１２は、３つの接続部２４を介して、天板部２０に吊るされている。
【００３４】
プロジェクタ取り付け部材１４のベース部２２は、天板部２０を天井材１０２から離れた状態で支持する。すなわち、ベース部２２は、天板部２０と天井材１０２との間にプロジェクタ１２のスペースを確保する。本実施の形態１の場合、ベース部２２は、上方が開いたボックス体であって、蓋状の天板部２０と着脱可能に係合する。
【００３５】
また、プロジェクタ取り付け部材１４のベース部２２は、正面壁部２２ａに、投影光Ｌを出射するプロジェクタ１２の出射部１２ａが通過する貫通穴２２ｂを備えている。
【００３６】
さらに、プロジェクタ取り付け部材１４のベース部２２は、天板部２０を傾いた姿勢で支持するように構成されている。具体的には、天板部２０に支持されているプロジェクタ１２の出射部１２ａが斜め下方向に向くように、ベース部２２は天板部２０を水平に対して傾いた状態で支持する。これにより、プロジェクタ１２は、天井材１０２の裏側から開口１０２ａを介して浴室１００内に向かって投影光Ｌを出射することができる。
【００３７】
図３に示すように、プロジェクタ取り付け部材１４の３つの接続部２４それぞれは、天板部２０に対するプロジェクタ１２の姿勢を手動調整可能に、天板部２０とプロジェクタ１２とを接続するように構成されている。また、接続部２４それぞれは、図２に示すように、天板部２０の上方側に配置され、天板部２０に対するプロジェクタ１２の姿勢を手動調整するために作業者が把持して操作する把持部としての取手部２６ａを備える。この接続部２４について詳細に説明する。
【００３８】
図４は、図３に示す領域Ｂの拡大図であって、１つの接続部２４を示している。図４に示すように、本実施の形態１の場合、接続部２４それぞれは、プロジェクタ１２を天板部２０に吊るための蝶ボルト２６と、プロジェクタ１２に固定される固定具２８とを含んでいる。
【００３９】
蝶ボルト２６は、天板部２０に対するプロジェクタ１２の姿勢を手動調整するために作業者が触れる取手部２６ａと、おねじが形成された軸部２６ｂとを備える。蝶ボルト２６の取手部２６ａが天板部２０の上方に配置され、軸部２６ｂが天板部２０を貫通してプロジェクタ取り付け部材１４の内部空間１４ａ内に向かって延在している。そのために、天板部２０には、蝶ボルト２６の軸部２６ｂが通過する貫通穴２０ａが形成されている。また、蝶ボルト２６の軸部２６ｂの先端部には、理由は後述するが、抜け止め部材３０が固定されている。抜け止め部材３０は、例えば二重ナット（ダブルナット）である。
【００４０】
固定具２８は、図５に示すように、「Ｓ」字状に折り曲げた帯状の金属プレートであって、２つの貫通穴２８ａ，２８ｂを備える。貫通穴２８ａは、固定具２８の一方の端部である固定部２８ｃに形成され、貫通穴２８ｂは他方の端部であるループ部２８ｄに形成されている。
【００４１】
貫通穴２８ａは、図３に示すように、固定具２８の固定部２８ｃをプロジェクタ１２に固定するための固定ボルト３２の通し穴である。固定ボルト３２は、筒状のスペーサ部材３４を介して固定具２８の固定部２８ｃを固定する。
【００４２】
貫通穴２８ｂは、図５に示すように、鍵穴形状である。具体的には、円形断面を備える円形穴部２８ｂａと、円形穴部２８ｂａから延在するスロット部２８ｂｂとから、貫通穴２８ｂは構成されている。
【００４３】
貫通穴２８ｂの円形穴部２８ｂａは、図４に示す抜け止め部材３０が通過できる大きさ（直径Ｄ）を備える。一方、スロット部２８ｂｂは、抜け止め部材３０は通過することができないが、蝶ボルト２６の軸部２６ｂは通過できる大きさ（幅Ｗ）を備える。すなわち、円形穴部２８ｂａの直径Ｄに比べてスロット部２８ｂｂの幅Ｗは小さい。
【００４４】
図４に示すように、蝶ボルト２６の軸部２６ｂの先端部に固定された抜け止め部材３０と固定具２８の貫通穴２８ｂとにより、蝶ボルト２６と固定具２８のループ部２８ｄは着脱可能に接続することができる。具体的には、図６に示すように、３つの接続部２４それぞれにおいて、抜け止め部材３０が固定具２８の貫通穴２８ｂの円形穴部２８ｂａを通過する。次に、円形穴部２８ｂａ内に位置する蝶ボルト２６の軸部２６ｂの部分（すなわち抜け止め部材３０より取手部２６ａ側の部分）がスロット部２８ｂｂ内に進入する。これにより、蝶ボルト２６と固定具２８のループ部２８ｄは着脱可能に接続することができる。すなわち、抜け止め部材３０がフックとして機能し、それにより、抜け止め部材３０と固定具２８のループ部２８ｄとがフックアンドループ接続する。
【００４５】
本実施の形態１の場合、図３に示すように、プロジェクタ１２の天井材１０２の裏側への設置が完了すると、プロジェクタ１２は出射部１２ａが斜め下に向いた状態である。固定具２８は、このような傾き姿勢のプロジェクタ１２に対して、図４に示すように、の貫通穴２８ｂのスロット部２８ｂｂが円形穴部２８ｂａから斜め上方向に延在するように固定されている。したがって、プロジェクタ１２の使用中、蝶ボルト２６と固定具２８は、抜け止め部材３０と貫通穴２８ｂのスロット部２８ｂｂとを介して、また、プロジェクタ１２の自重によって接続し続けることができる。
【００４６】
なお、図３に示すように、突発的な衝撃がプロジェクタ１２に加わるなどして蝶ボルト２６と固定具２８との接続（フックアンドループ接続）が意図せず解除されないように、プロジェクタ１２を制止するプロジェクタ制止用ボルト３６が設けられている。プロジェクタ制止用ボルト３６は、プロジェクタ取り付け部材１４のベース部２２に形成されためねじ穴に螺合し、先端でプロジェクタ１２の後部（出射部１２ａの反対側の部分）に当接する。これにより、蝶ボルト２６の軸部２６ｂが固定具２８のスロット部２８ｂｂから円形穴部２８ｂａに向かって相対移動しないように、プロジェクタ１２は制止される。その結果、蝶ボルト２６と固定具２８との接続が意図せず解除されることが抑制される。
【００４７】
図４に示すように、蝶ボルト２６の取手部２６ａと天板部２０との間の軸部２６ｂの部分に、ナット３８が螺合している。このナット３８は、天板部２０と固定具２８との間の距離Ｈを調整するためのものである。
【００４８】
具体的には、ナット３８の回転をスパナ等で制限した状態で、作業者が蝶ボルト２６の取手部２６ａを回すと、天板部２０と固定具２８との間の距離Ｈが変化する。３つの接続部２４それぞれにおいて天板部２０と固定具２８との間の距離Ｈが変化すると、天板部２０に対するプロジェクタ１２の姿勢が変化する。したがって、作業者が３つの接続部２４それぞれの取手部２６ａを回すことにより、プロジェクタ１２の設置姿勢を調整することができる。
【００４９】
なお、接続部２４それぞれのナット３８は、天板部２０に固定（例えば溶接）されてもよい、または、ナット３８に代わって、天板部２０の貫通穴２０ａが蝶ボルト２６の軸部２６ｂと螺合するめねじ穴であってもよい。これにより、作業者は、１つの接続部２４について片手で操作することができ、その結果、プロジェクタ１２の設置姿勢の調整作業効率が向上する。
【００５０】
また、天板部２０の貫通穴２０ａが蝶ボルト２６の軸部２６ｂと螺合するめねじ穴である場合、そのめねじ穴がナット３８と協働することにより、天板部２０にプロジェクタ１２を移動不可能に固定するができる。すなわち、天板部２０のめねじ穴とナット３８とが二重ナット（ダブルナット）として機能し、天板部２０に対して蝶ボルト２６が移動不可能に固定され、その結果、天板部２０にプロジェクタ１２が固定される。
【００５１】
このような天板部２０に対するプロジェクタ１２の姿勢を手動調整可能に天板部２０とプロジェクタ１２とを接続する３つの接続部２４により、プロジェクタ１２を所望の位置に設置した後に、その設置姿勢を調整することができる。
【００５２】
このようなプロジェクタ取り付け部材１４によれば、プロジェクタ１２は、天井材１０２の裏側部分１０２ｃに設置され、また、ほこりなどから保護される（特に天板部２０によってほこりの堆積が抑制される）。また、プロジェクタ取り付け部材１４によって下側に傾いた姿勢で支持されることにより、プロジェクタ１２は、出射部１２ａから天井材１０２の開口１０２ａを介して浴室１００内に向かって投影光Ｌを出射することができる。
【００５３】
図３に示すように、カバー部材１６は、天井材１０２の開口１０２ａを塞いでいる。これにより、浴室１００の内部空間から天井材１０２の裏側空間への蒸気の侵入を抑制している。このカバー部材１６は、プロジェクタ１２の出射部１２ａから出射された投影光Ｌが透過できるガラスまたは樹脂材料から作製されている。
【００５４】
図３に示すように、ケース部材１８は、カバー部材１６を覆うように、またプロジェクタ１２の出射部１２ａを覆うように構成されて配置されている。これにより、カバー部材１６とプロジェクタ１２の出射部１２ａとが、ほこりなどから保護される。
【００５５】
次に、これまで説明してきた画像投影システム１０の浴室１００への設置方法の一例について説明する。
【００５６】
まず、図１に示す天井材１０２に設けられた点検口１０２ｂを介して、作業者が、カバー部材１６を天井材１０２の裏側部分１０２ｃに取り付ける。
【００５７】
次に、図６に示すように、作業者は、プロジェクタ取り付け部材１４の天板部２０に、３つの接続部２４を介してプロジェクタ１２を取り付ける。
【００５８】
続いて、プロジェクタ１２が取り付けられた天板部２０をベース部材２２に取り付ける。すなわち、プロジェクタ１２をプロジェクタ取り付け部材１４内に収容する。
【００５９】
続いて、図７に示すように、作業者は、プロジェクタ１２が収容されたプロジェクタ取り付け部材１４を、天井材１０２の裏側部分１０２ｃに取り付ける。そして、プロジェクタ１２の出射部１２ａを回すなどによってプロジェクタ１２のピント等を調整した後、ケース部材１８を天井材１０２の裏側部分１０２ｃに取り付ける。これにより、プロジェクタ１２の設置作業が完了する。
【００６０】
プロジェクタ１２の設置作業が完了すると、次に、作業者は、プロジェクタ１２の設置姿勢の調整作業を実行する。
【００６１】
具体的には、作業者は、図２に示すように、プロジェクタ取り付け部材１４の天板部２０の上方側に設けられた３つの接続部２４それぞれの取手部２６ａ（蝶ボルト２６）を適切に回すことにより、プロジェクタ１２の設置姿勢を調整する。
【００６２】
このとき、作業者は、プロジェクタ１２の設置姿勢を調節するために触れる必要がある３つの取手部２６ａに容易にアクセスすることができるとともに容易に操作することができる。したがって、プロジェクタ１２の設置姿勢を容易に調整することができる。
【００６３】
具体的に説明すると、図２に示すように、３つの取手部２６ａがプロジェクタ取り付け部材１４の天板部２０の上方側に位置する。そのため、浴室１００内に居る作業者は、点検口１０２ｂを介して３つの取手部２６ａに容易にアクセスすることができる。
【００６４】
これとは異なり、点検口１０２ｂから遠くて見えないプロジェクタ取り付け部材１４のベース部２２の側面２２ｃ側に取手部２６ａが存在する場合、浴室１００内に居る作業者は、取手部２６ａに手が届かない。この場合、作業者は、手のみならず、上半身全体で点検口１０２ｂを介して天井材１０２の裏側に進入する必要がある。しかし、取手部２６ａを操作する度に、点検口１０２ｂから上半身を出して浴室１００の壁材１０４に映る画像Ｐを確認する必要があり、非常に手間である。あるいは、天井材１０２の裏側空間が狭いまたは天井材１０２の強度が低いなどの理由から、上半身での進入自体できない場合がある。この場合には、プロジェクタ１２の設置姿勢の調整自体ができない。
【００６５】
このように取手部２６ａが天板部２０の上方側以外の位置に存在する場合、プロジェクタ１２の設置位置に対する作業者の位置（点検口１０２ｂの位置）によっては、プロジェクタ１２の設置姿勢の調整が困難または不可能な場合がある。
【００６６】
一方、本実施の形態１の場合、取手部２６ａが天板部２０の上方側に位置する。したがって、プロジェクタ１２の設置位置に対して作業者（点検口１０２ｂ）がどのような位置に存在していても、作業者は、同様に且つ容易に取手部２６ａに対してアクセスおよび操作することができる。
【００６７】
以上、このような本実施の形態１によれば、プロジェクタ１２が天井裏（天井材１０２の裏側部分１０２ｃ）に設置される場合において、プロジェクタ１２の設置姿勢を容易に調整することができる。
【００６８】
また、本実施の形態１の場合、図３に示すように、プロジェクタ１２を接続部２４を介して支持するプロジェクタ取り付け部材１４の天板部２０は、プロジェクタ１２の出射部１２ａが斜め下方向に向くようにベース部２２に支持されている。すなわち、プロジェクタ１２の設置姿勢を調整する前の段階で、プロジェクタ１２から浴室１００の壁材１０４に画像Ｐが既に投影されている。したがって、作業者は、プロジェクタ１２の設置姿勢を微調整するだけでよく、また、プロジェクタ１２の設置姿勢の調整しろは小さくて済む（上述の実施の形態１の場合、蝶ボルト２６を短くすることができる）。
【００６９】
さらに、本実施の形態１の場合、図６および図７に示すように、プロジェクタ１２を支持するプロジェクタ取り付け部材１４の天板部２０が、ベース部２２に対して着脱可能である。そのため、プロジェクタ１２とプロジェクタ取り付け部材１４とを一体化した状態で、天井材１０２の裏側部分１０２ｃに取り付ける場合に比べて、作業性に優れる。
【００７０】
（実施の形態２）
本実施の形態２のプロジェクタ取り付け部材は、接続部を除いて、実質的に上述の実施の形態１のプロジェクタ取り付け部材と実質的に同一である。したがって、その異なる接続部について説明する。
【００７１】
図２に示すように、上述の実施の形態１の場合、プロジェクタ取り付け部材１４は、同一の３つの接続部２４を備える。それと異なり、本実施の形態２の場合、３つの接続部の内、１つの接続部は異なる。すなわち、本実施の形態２のプロジェクタ取り付け部材は、第１の接続部を２つ備え、第１の接続部と異なる第２の接続部を１つ備える。
【００７２】
図８は、本実施の形態２のプロジェクタ取り付け部材の第１の接続部を示している。図９は、第２の接続部を示している。まず、第１の接続部について説明する。
【００７３】
図８に示すように、プロジェクタ取り付け部材の第１の接続部１２４Ａは、天板部２０に対するプロジェクタ１２の姿勢を手動調整可能に、天板部２０とプロジェクタ１２とを接続するように構成されている。
【００７４】
そのために、第１の接続部１２４Ａは、図８に示すように、天板部２０に形成された貫通穴２０ａを通過するトラスねじ５０を有する。そのトラスねじ５０の軸部（おねじ部）５０ａには、複数の蝶ナット５２、５４、複数のナット５６〜６０が係合し、また複数のスプリングワッシャ６２〜６８とボビン部材７０が外挿されている。
【００７５】
図８に示すように、トラスねじ５０は、その頭部５０ｂがプロジェクタ取り付け部材内に存在する状態で、すなわち、頭部５０ｂが天板部２０の下方に位置する姿勢で、軸部５０ａが天板部２０の貫通穴２０ａを通過している。
【００７６】
そのトラスねじ５０の頭部５０ｂに、ボビン部材７０が受け支えられている。また、ボビン部材７０は、ナット６０とスプリングワッシャ６８によって頭部５０ｂに接触した状態でトラスねじ５０に固定されている。
【００７７】
ボビン部材７０は、プロジェクタ１２に取り付けられた固定具７２に係合する。具体的には、ボビン部材７０の縮径部７０ａが、図１０に示すように、固定具７２に形成されたスリット溝７２ａ内に配置されることにより、ボビン部材７０と固定具７２とが係合する。すなわち、ボビン部材７０は、スリット溝７２ａと係合するスリット溝係合部材として機能する。
【００７８】
図８に示すように、プロジェクタ取り付け部材の天板部２０上方に姿勢調整用蝶ナット（第２の蝶ナット）５２が配置され、その姿勢調整用蝶ナット５２は、トラスねじ５０に対して回転しないように、スプリングワッシャ６２、６４を介してキャップナット５６とナット５８とに挟まれている。回り止め用蝶ナット（第１の蝶ナット）５４はスプリングワッシャ６６を介して天板部２０に接触する。これにより、第１の接続部１２４Ａ、すなわちトラスねじ５０、ボビン部材７０、固定具７２、および回り止め用蝶ナット５４により、プロジェクタ１２がプロジェクタ取り付け部材の天板部２０に吊り下げ支持される。
【００７９】
また、姿勢調整用蝶ナット５２の取手部を手作業で回すことにより、プロジェクタ取り付け部材１４の天板部２０とプロジェクタ１２との間の距離を変更することができる。すなわち、天板部２０とプロジェクタ１２との間に配置されるトラスねじ５０の部分の長さを調節することができる。
【００８０】
なお、図８に示すように、一方の手で姿勢調整用蝶ナット５２の取手部を回したときに回り止め用蝶ナット５４が一緒に回らないように、回り止め用蝶ナット５４の取手部は他方の手で把持される。
【００８１】
図９に示すように、第２の接続部１２４Ｂは、図８に示す第１の接続部１２４Ａと異なり、蝶ナットを有していない。すなわち、この第２の接続部１２４Ｂは、第１の接続部１２４Ａとは異なり、プロジェクタ１２の姿勢を変更するときに使用されない。第２の接続部１２４Ｂは、単にプロジェクタ取り付け部材の天板部２０とプロジェクタ１２とを接続するためのものである。
【００８２】
具体的には、図９に示すように、第２の接続部１２４Ｂは、天板部２０に形成された貫通穴２０ａを通過するトラスねじ８０を有する。そのトラスねじ８０の軸部（おねじ部）８０ａには、ナット８２が係合し、またスプリングワッシャ８４、ワッシャ８６、カラー８８が外挿されている。
【００８３】
図９に示すように、トラスねじ８０は、その頭部８０ｂがプロジェクタ取り付け部材内に存在する状態で、すなわち、頭部８０ｂが天板部２０の下方に位置する姿勢で、軸部８０ａが天板部２０の貫通穴２０ａを通過している。
【００８４】
そのトラスねじ８０の頭部８０ｂに、ワッシャ８６とカラー８８とが受け支えられている。
【００８５】
ワッシャ８６とカラー８８は、プロジェクタ１２に取り付けられた固定具９０に係合する。具体的には、カラー８８が図１０に示す固定具９０に形成されたスリット溝９０ａ内に配置された状態で、ワッシャ８６が固定９０を受け支える。すなわち、ワッシャ８６とカラー８８は、スリット溝９０ａと係合するスリット溝係合部材として機能する。
【００８６】
図９に示すように、プロジェクタ取り付け部材の天板部２０上にナット８２が配置され、そのナット８２はスプリングワッシャ８４を介して天板部２０に接触する。これにより、第２の接続部１２４Ｂ、すなわちトラスねじ９０、ワッシャ８６、固定具９０、およびナット８２により、プロジェクタ１２がプロジェクタ取り付け部材の天板部２０に吊り下げ支持される。
【００８７】
第２の接続部１２４Ｂにおいて、プロジェクタ取り付け部材の天板部２０とプロジェクタ１２との間の距離（その間のトラスねじ９０の部分の長さ）は、例えば、工場出荷時に設定される。
【００８８】
このような第１の接続部１２４Ａと第２の接続部１２４Ｂによれば、２つの第１の接続部１２４Ａそれぞれの姿勢調整用蝶ナット５２の取手部を手作業で回すことにより、天板部２０に対するプロジェクタ１２の姿勢を簡単に調整することができる。それにより、プロジェクタ１２の出射部１２ａからカバー部材１６を介して浴室１００内に投影される画像Ｐの傾きや形状を調整することができる。
【００８９】
天板部２０の貫通穴２０ａがトラスねじ５０や８０と螺合するめねじ穴である場合、そのめねじ穴が回り止め用蝶ナット５４やナット８２と協働することにより、天板部２０にプロジェクタ１２を移動不可能に固定するができる。すなわち、天板部２０のめねじ穴と回り止め用蝶ナット５４やナット８２とが二重ナット（ダブルナット）として機能し、天板部２０に対してトラスネジ５０や８０が移動不可能に固定され、その結果、天板部２０にプロジェクタ１２が固定される。
【００９０】
本実施の形態２も、上述の実施の形態１と同様に、プロジェクタ１２が天井裏に設置される場合において、プロジェクタ１２の設置姿勢を容易に調整することができる。
【００９１】
（実施の形態３）
本実施の形態３のプロジェクタ取り付け部材は、天板部および該天板部にプロジェクタを接続する接続部について、上述の実施の形態１および２と異なる。したがって、異なる点について説明する。
【００９２】
図１１は、本実施の形態３に係るプロジェクタ取り付け部材の一部を示している。図１２は、プロジェクタ取り付け部材の接続部の分解斜視図である。そして、図１３は、プロジェクタ取り付け部材の部分断面図である。
【００９３】
図１２に示すように、プロジェクタ１２とプロジェクタ取り付け部材の天板部２２０とを接続する接続部は、プロジェクタ１２に固定されるプレート状の下側固定具２５０と、天板部２２０の裏面に固定されるプレート状の固定具２５２と、下側固定具２５０と上側固定具２５２とを接続する３つのローレットねじ２５４Ａ、２５４Ｂ、２５４Ｃとを含んでいる。
【００９４】
図１２に示すように、下側固定具２５０は、スペーサ２５６を介することにより、また、複数のねじ２５８により、プロジェクタ１２との間にスペースを設けた状態でプロジェクタ１２に固定されている。
【００９５】
上側固定具２５２も、天板部２２０との間にスペースを設けた状態で該天板部２２０の裏側に固定されている。具体的には、天板部２２０には、下側に向かって切り起こされた複数の切り起こし部２２０ａが形成されている。その切り起こし部２２０ａの先端に、複数のねじ２６０を介して、上側固定具２５２が固定される。
【００９６】
上側固定具２５２に対する下側固定具２５０の姿勢（傾き）が調整できるように、下側固定具２５０は、３つのローレットねじ２５４Ａ、２５４Ｂ、２５４Ｃによって上側固定具２５２に接続されている。
【００９７】
具体的に説明すると、下側固定具２５０には、ローレットねじ２５４Ａ、２５４Ｂ、２５４Ｃに係合するめねじ穴２５０ａ、２５０ｂ、２５０ｃが形成されている。３つのめねじ穴２５０ａ、２５０ｂ、２５０ｃは、同一平面に設けられている、すなわち平坦な表面２５０ｄに設けられている。
【００９８】
一方、上側固定具２５２には、下側固定具２５０のめねじ穴２５０ａ、２５０ｂ、２５０ｃそれぞれに対向するように設けられた通し穴２５２ａ、２５２ｂ、２５２ｃが形成されている。
【００９９】
ローレットねじ２５４Ａは、上側固定具２５２の通し穴２５２ａを通過してめねじ穴２５０ａに係合する。ローレットねじ２５４Ｂは、通し穴２５２ｂを通過してめねじ穴２５０ｂに係合する。そして、ローレットねじ２５４Ｃは、通し穴２５２ｃを通過してめねじ穴２５０ｃに係合する。なお、下側固定具２５０と上側固定具２５２との間のローレットねじ２５４Ａ、２５４Ｂ、２５４Ｃの軸部には、スプリング２６２が外挿されている。これらのスプリング２６２は、下側固定具２５０と上側固定具２５２を互いに離間する方向に付勢している。それにより、これらのスプリング２６２は、ローレットねじ２５４Ａ、２５４Ｂ、２５４Ｃのゆるみ止めとして機能している。
【０１００】
図１３を参照しながら、ローレットねじ２５４Ａ、２５４Ｂ、２５４Ｃによる上側固定具２５２に対する下側固定具２５０の姿勢調整について説明する。
【０１０１】
ローレットねじ２５４Ａの把持部としての頭部２５４Ａａを把持して回すことにより、下側固定具２５０と上側固定具２５２との距離が変化する。ローレットねじ２５４Ａの頭部２５４Ａａへのアクセスは、天板部２２０に形成されたアクセス穴２２０ｂを介して行われる。３つのローレットねじ２５４Ａ、２５４Ｂ、２５４Ｃそれぞれを回すことにより、上側固定部２５２に対する下側固定具２５０の姿勢を調整することができる。その結果、天板部２２０に対するプロジェクタ１２の姿勢（傾き）、すなわちプロジェクタ１２の光軸Ｃの方向が調整される。
【０１０２】
また、作業者がプロジェクタ１２の光軸Ｃの方向調整がより容易に行えるように、すなわち図１１に示すように浴室１００の壁材１０４に投影された画像Ｐの位置姿勢の調整をより容易に行えるように、本実施の形態のプロジェクタ取り付け部材の接続部は構成されている。
【０１０３】
具体的には、図１２に示すように、下側固定具２５０のめねじ穴２５０ａ、２５０ｂは、直線Ａｘ１上に位置する。この直線Ａｘ１は、プロジェクタ１２の光軸Ｃを含む鉛直面に対して直交する。また、めねじ穴２５０ｂ、２５０ｃは、直線Ａｘ２上に位置する。この直線Ａｘ２は、直線Ａｘ１に直交する。めねじ穴２５０ａ、２５０ｂ、２５０ｃが同一平面上に位置するので、直線Ａｘ１、Ａｘ２も同一平面（すなわち表面２５０ｄ）上に位置する。
【０１０４】
したがって、ローレットねじ２５４Ａのみを回すと、下側固定具２５０は、直線Ａｘ２を中心にして回転する。それにより、図１に示すように浴室１００の壁材１０４に投影された画像Ｐの水平に対する姿勢（傾き）を調整することができる。
【０１０５】
また、ローレットねじ２５４Ｃのみを回すと、下側固定具２５０は、直線Ａｘ１を中心にして回転する。それにより、浴室１００の壁材１０４に投影された画像Ｐの高さ位置を調整することができる。
【０１０６】
このようにローレットねじそれぞれによって調整できる対象が明確であるため、作業者は、プロジェクタ１２の光軸Ｃの方向調整をより容易に行うことができる。
【０１０７】
なお、下側固定具２５０のめねじ穴２５０ａ、２５０ｂ、２５０ｃそれぞれの位置は、上方から見た場合にめねじ穴２５０ａの中心とめねじ穴２５０ｃの中心を結ぶ直線上の中点にプロジェクタ１２の重心が重なるように、決定するのが好ましい。
【０１０８】
また、下側固定具２５０と上側固定具２５２との間の距離が縮小するようにローレットねじ２５４Ａ、２５４Ｂ、２５４Ｃを時計回りに回し続けると、これらのローレットねじの先端がいずれはプロジェクタ１２の上面に接触する。これにより、時計回り方向へのローレットねじの回転が規制され、下側固定具２５０と上側固定具２５２との間の距離の下限が設定される。
【０１０９】
一方、下側固定具２５０と上側固定具２５２との間の距離の上限を設定するために、図１２に示すように、下側固定具２５０には、「Ｔ」字状の複数の貫通穴２５０ｅが形成されている。一方、上側固定具２５２には、「Ｔ」字状の切り起こし部２５２ｄが形成されている。「Ｔ」字状の貫通穴２５０ｅを「Ｔ」字状の切り起こし部２５２ｄが通過している。
【０１１０】
下側固定具２５０と上側固定具２５２との間の距離が拡大するようにローレットねじ２５４Ａ、２５４Ｂ、２５４Ｃを反時計回りに回し続けると、「Ｔ」字状の貫通穴２５０ｅに「Ｔ」字状の切り起こし部２５２ｄの先端がいずれは引っ掛かる。この引っ掛かりの後にローレットねじを反時計周りにさらに回しても、下側固定具２５０と上側固定具２５２との間の距離は変化しない。なお、この「Ｔ」字状の切り起こし部２５２ｄの切り起こし高さが大きくなればなるほど、下側固定具２５０と上側固定具２５２との間の距離についての調整可能範囲が拡大する。
【０１１１】
「Ｔ」字状の貫通穴２５０ｅへの「Ｔ」字状の切り起こし部２５２ｄの引っ掛かりの後、ローレットねじ２５４Ａ、２５４Ｂ、２５４Ｃを反時計周りにさらに回すと、下側固定具２５０からローレットねじが外れる可能性がある。その対処として、図１２に示すように、天板部２２０のアクセス穴２２０ｂには、ローレットねじ２５４Ａ、２５４Ｂ、２５４Ｃの頭部と接触可能なストッパ部２２０ｃが設けられている。ストッパ部２２０ｃに接触することにより、ローレットねじ２５４Ａ、２５４Ｂ、２５４Ｃの反時計回りの過剰な回しを制限することができる。これにより、下側固定具２５０からローレットねじ２５４Ａ、２５４Ｂ、２５４Ｃが外れることが抑制される。
【０１１２】
本実施の形態３も、上述の実施の形態１と同様に、プロジェクタ１２が天井裏に設置される場合において、プロジェクタ１２の設置姿勢を容易に調整することができる。
【０１１３】
以上、上述の実施の形態を挙げて本発明を説明したが、本発明は上述の実施の形態に限定されない。
【０１１４】
例えば、上述の実施の形態の場合、図３に示すように、プロジェクタ１２は、出射部１２ａが斜め下方向に向いた状態で、プロジェクタ取り付け部材１４の天板部２０に支持されている。しかしながら、本発明の実施の形態はこれに限定されない。例えば、出射部が水平に向いた状態で天板部にプロジェクタは支持されてもよい。この場合、プロジェクタから出射された投影光を斜め下方向に反射するミラーが使用される。
【０１１５】
また、上述の実施の形態の場合、図６や図７に示すように、プロジェクタ取り付け部材の天板部は蓋体であって、ベース部が天板部によって閉じられる上方が開いたボックス体であるが、本発明の実施の形態はこれに限らない。例えば、天板部が平板であって、ベース部が天板部を支持するフレーム体であってもよい。
【０１１６】
さらに、上述の実施の形態１および２の場合、プロジェクタ１２は、３つの接続部２４（または２つの第１の接続部１２４Ａと１つの第２の接続部１２４Ｂ）を介して、プロジェクタ取り付け部材１４の天板部２０に接続され、また、天板部２０に対する姿勢を調節される。本発明の実施の形態は、これに限定されない。例えば、２つの接続部２４（２つの第１の接続部１２４Ａ）と、１本の金属ワイヤー（剛性があって変形可能なワイヤー）とによってプロジェクタ１２と天板部２０とが接続されてもよい。
【０１１７】
すなわち、本発明の実施の形態のプロジェクタ取り付け部材は、広義には、室内の天井材の裏側部分にプロジェクタを取り付けるためのプロジェクタ取り付け部材はであって、プロジェクタの上方に配置される天板部と、天板部を支持し、天井材の裏側部分に取り付けられるベース部と、天板部に対するプロジェクタの姿勢を手動調整可能に、天板部とプロジェクタとを接続する接続部とを、有し、接続部が、天板部の上方側に配置され、天板部に対するプロジェクタの姿勢を手動調整するために作業者が把持して操作する把持部を備えるものである。
【０１１８】
そして、上述の実施の形態の場合、画像投影システムは浴室内に画像を投影するが、言い換えると上述の実施の形態は画像を投影することができる浴室であるが、本発明の実施の形態はこれに限らない。本発明の実施の形態のプロジェクタ取り付け部材は、浴室のみならず、室内の天井材の裏側部分にプロジェクタを設置するときに使用されるものである。
【０１１９】
以上のように、本発明における技術の例示として、実施形態を説明した。そのために、添付図面及び詳細な説明を提供した。したがって、添付図面及び詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１２０】
また、前述の実施形態は、本発明における技術を例示するためのものであるから、特許請求の範囲又はその均等の範囲において種々の変更、置き換え、付加、省略などを行うことができる。
【産業上の利用可能性】
【０１２１】
本発明は、プロジェクタを室内の天井材の裏側に設置する場合に適用可能である。
【符号の説明】
【０１２２】
１２    プロジェクタ
１４    プロジェクタ取り付け部材
２０    天板部
２２    ベース部
２４    接続部
２６ａ  把持部
【図１】
2018072803.tif 000003
【図２】
2018072803.tif 000004
【図３】
2018072803.tif 000005
【図４】
2018072803.tif 000006
【図５】
2018072803.tif 000007
【図６】
2018072803.tif 000008
【図７】
2018072803.tif 000009
【図８】
2018072803.tif 000010
【図９】
2018072803.tif 000011
【図１０】
2018072803.tif 000012
【図１１】
2018072803.tif 000013
【図１２】
2018072803.tif 000014
【図１３】
2018072803.tif 000015